(57)【要約】【課題】ユーザが表示したい画像が動画像ファイルの中盤に記録されている場合は、期待する動画像を探し出すのにとても時間がかかりユーザに負担がかかってしまう問題があった。【解決手段】動画再生において、静止画記録時間情報に含まれる静止画撮影時刻に対して同時刻の動画撮影時刻を含む動画記録時間情報１５が記録媒体４に存在するときは、その旨を示すアイコン２０を表示し、ユーザ操作によってアイコン２０が選択されると、記録媒体制御部３は、その動画記録時間情報１５とそれに対応する動画情報を記録媒体４から読み出し、信号処理部６に送り、信号処理部６は動画記録時間情報１５における前記の同時刻とされる静止画撮影時刻の近傍から動画情報の再生を開始する。【選択図】図１
2007181164.tif 000002
【特許請求の範囲】
【請求項１】
動画情報および前記動画情報の動画記録時刻を含む動画記録時間情報、または静止画情報および前記静止画情報の静止画記録時刻を含む静止画記録時間情報が記録された記録媒体から、前記動画情報、前記動画記録時間情報、前記静止画情報、または前記静止画記録時間情報を読み出す記録媒体制御部と、
前記動画情報、または前記静止画情報の信号処理を行い、画像信号を生成して表示用に出力する信号処理部と、
前記記録媒体上の前記静止画情報を選択操作するための操作部と、
前記記録媒体制御部を制御して、選択された前記静止画情報に対応する前記静止画記録時間情報に含まれる前記静止画記録時刻を読み出し、前記静止画記録時刻と同時刻の前記動画記録時刻を含む前記動画記録時間情報に対応した再生動画情報の有無を確認するとともに、前記信号処理部を制御して、前記動画記録時刻の直前の再生開始可能な動画情報以降の前記再生動画情報を信号処理させ、表示用に出力させる制御部とを備えた画像再生装置。
【請求項２】
前記信号処理部は、リサイズ処理をさらに行った画像信号を生成し、前記画像信号をサムネイル画像として複数表示させる状態で出力し、
前記操作部は、前記サムネイル画像の中から１つのサムネイル画像を選択することにより、前記記録媒体上の静止画情報を選択する請求項１に記載の画像再生装置。
【請求項３】
前記制御部は、前記動画記録時刻の直前の再生開始可能な動画情報以降の前記再生動画情報に代えて、前記動画記録時刻から所定の時間前後の再生開始可能な動画情報以降の前記再生動画情報を表示処理の対象とする請求項１または請求項２に記載の画像再生装置。
【請求項４】
前記制御部は、前記動画記録時刻の直前の再生開始可能な動画情報以降の前記再生動画情報に代えて、前記動画記録時刻を含む前記再生動画情報の先頭位置からの前記再生動画情報を表示処理の対象とする請求項１または請求項２に記載の画像再生装置。
【請求項５】
前記信号処理部は、ＭＰＥＧ規格に基づいて前記動画情報を圧縮し、
前記制御部は、前記動画記録時刻の直前の再生開始可能な動画情報以降の前記再生動画情報に代えて、前記動画記録時刻の直前のＩフレーム以降の前記再生動画情報を表示処理の対象とする請求項１または請求項２に記載の画像再生装置。
【請求項６】
前記制御部は、前記静止画記録時刻と同時刻の動画記録時刻を含む動画記録時間情報に対応した再生動画情報に代えて、前記選択した静止画情報を表示処理の対象とする請求項１から請求項５までのいずれかに記載の画像再生装置。
【請求項７】
前記制御部は、前記静止画記録時刻と同時刻の動画記録時刻を含む動画記録時間情報に対応した再生動画情報に代えて、ユーザに対するメッセージを表示処理の対象とする請求項１から請求項５までのいずれかに記載の画像再生装置。
【請求項８】
前記制御部は、前記再生動画情報の存在を示す動画選択情報をさらに表示出力させ、前記操作部による前記動画選択情報に対するユーザ操作に基づき、前記再生動画情報を表示出力させる請求項１から請求項７までのいずれかに記載の画像再生装置。
【請求項９】
前記制御部は、前記再生動画情報が存在する前記静止画情報のみを前記サムネイル画像として表示出力させる請求項８に記載の画像再生装置。
【請求項１０】
前記制御部は、前記選択した静止画情報と前記再生動画情報の存在を示す動画選択情報とを表示し、前記操作部による前記動画選択情報に対するユーザ操作に基づき、前記再生動画情報を表示出力させる請求項１に記載の画像再生装置。
【請求項１１】
前記制御部は、ユーザの前記操作部による動画再生停止の操作、および動画再生の終了によって、前記サムネイル画像を表示出力させる請求項８または請求項９に記載の画像再生装置。
【請求項１２】
前記制御部は、ユーザの前記操作部による動画再生停止の操作、および動画再生の終了によって、前記選択した静止画情報を表示出力させる請求項１０に記載の画像再生装置。
【請求項１３】
被写体像から撮像信号を生成する撮像部をさらに備え、
前記信号処理部は、前記撮像部による前記撮像信号を処理して、動画情報および前記動画情報の動画記録時刻を含む動画記録時間情報、または静止画情報および前記静止画情報の静止画記録時刻を含む静止画記録時間情報を生成し、
前記記録媒体制御部は、前記動画情報および前記動画記録時間情報、または前記静止画情報および前記静止画記録時間情報を前記記録媒体に記録し、
前記制御部は、前記動画情報の前記記録媒体への記録中に、前記操作部を用いたユーザ操作により、前記静止画情報の前記記録媒体への記録を行う請求項１から請求項１２までのいずれかに記載の画像再生装置。
【発明の詳細な説明】
【技術分野】
【０００１】
本発明は、例えばビデオカメラ等で記録媒体に記録された動画や静止画を再生する画像再生装置に関する。
【背景技術】
【０００２】
近年、動画や静止画を撮影して記録媒体に記録し、記録された画像情報を再生するデジタルビデオカメラなどが普及している。中には動画を撮影しているとき、同時に静止画も撮影できる機能（以下、同時記録機能と呼ぶ）も実用化されている。この同時記録機能により、動画を撮影中に、ユーザにとって特別な場面を別途静止画として保存できるメリットがある。
【０００３】
また記録された動画や静止画を再生する場合、一般的なデジタルビデオカメラでは、動画や静止画といったコンテンツのサムネイル画像を複数表示して、どのようなコンテンツがその記録媒体に含まれているかをユーザに効率良く認識させることがある。ここでサムネイル画像とは、静止画の場合は画素数を間引いてサイズを縮小した代表画を指し、動画ならば代表的な１シーンを静止画として抜き出し同様にサイズを縮小した代表画のことを言う。
【０００４】
さらに機種によっては、複数表示されたサムネイル画像のうち任意の１つをユーザが指定すると、対応する動画やフルサイズの静止画の再生を開始するといった機能を搭載している。この場合、効率良くユーザに画像を選択させるという利便性の向上に大きな効果を得ている。
【０００５】
また記録された静止画や動画といったコンテンツのデータ量を削減するために、情報圧縮技術を用いて静止画や動画データを圧縮することが効果的である。圧縮方法として静止画のＪＰＥＧ方式や動画のＭＰＥＧ方式など様々な方式が提案されている。そのような一般的な圧縮技術では、同時に記録時間情報も記録されている。ここで記録時間情報とは撮影時刻やタイムカウンターなどを含むものである。静止画の静止画記録時間情報には、静止画撮影時刻の情報が含まれている。また、動画の動画記録時間情報には、動画撮影開始時刻や記録されたフィールドやフレーム単位の画像それぞれのタイムカウンター値などが含まれていて、動画撮影開始時刻とタイムカウンター値から、フィールドやフレーム単位の画像それぞれの撮影時刻が取得できる。これらの静止画記録時間情報や動画記録時間情報は、再生時の撮影時間表示などに用いられている。
【０００６】
また画像再生装置に関する従来技術として、特許文献１に記載されているような画像再生装置がある。従来技術では複数の静止画からなる動画に対応して、動画再生中にユーザの指示に応じてサムネイル画像をインデックスファイルに収納しておき、再生時に収納されたサムネイル画像を表示し、そのうち１つをユーザが選択すると、対応する静止画以降の動画を再生する。一般的なビデオカメラでは、動画再生時には常にファイル先頭から再生されていたが、この技術により短時間で所望の画像にアクセスできるという効果がある。
【特許文献１】特開２０００−１７５１５８号公報（第３−９頁、第１−８図）
【発明の開示】
【発明が解決しようとする課題】
【０００７】
従来のデジタルビデオカメラでは、以前は記録媒体がテープメディアでランダムアクセスすることが難しかったこともあり、一般的に動画ファイルを先頭から再生していて、例えばユーザが表示したい画像が動画ファイルの中盤に記録されている場合は、期待する動画を探し出すのにとても時間がかかりユーザに負担がかかってしまう問題があった。近年、記録媒体がＤＶＤ（Digital Versatile Disc）やフラッシュメモリカード、ハードディスクなどに変わり、ランダムアクセスすることが可能となり、従来技術のファイルの途中から再生できるような技術が実用化された。しかし、同時に記録画像情報の高圧縮化や、記録媒体の記録容量の増加により長時間の記録が可能となり、動画の記録データ量が大きくなると、やはりユーザの期待する動画を探し出すのにはとても時間がかかってしまう。
【０００８】
また従来技術では動画を再生してわざわざユーザの指示によってサムネイル画像を作らなければならないので、動画のデータ量が大きくなれば、サムネイル作成に多くの時間を要するという課題があった。また、所定フレームおきにサムネイル画像を作成したとしても、動画のデータ量が大きくなれば自動的に作られるサムネイル画像の数も多くなり、結果的に目的のシーンを見つけ出すにも時間がかかってしまうため、ユーザに負担がかかるという問題があった（特許文献１段落〔００５４〕）。
【課題を解決するための手段】
【０００９】
上記の課題を解決するために本発明の画像再生装置は、
動画情報および前記動画情報の動画記録時刻を含む動画記録時間情報、または静止画情報および前記静止画情報の静止画記録時刻を含む静止画記録時間情報が記録された記録媒体から、前記動画情報、前記動画記録時間情報、前記静止画情報、または前記静止画記録時間情報を読み出す記録媒体制御部と、
前記動画情報、または前記静止画情報の信号処理を行い、画像信号を生成して表示用に出力する信号処理部と、
前記記録媒体上の前記静止画情報を選択操作するための操作部と、
前記記録媒体制御部を制御して、選択された前記静止画情報に対応する前記静止画記録時間情報に含まれる前記静止画記録時刻を読み出し、前記静止画記録時刻と同時刻の前記動画記録時刻を含む前記動画記録時間情報に対応した再生動画情報の有無を確認するとともに、前記信号処理部を制御して、前記動画記録時刻の直前の再生開始可能な動画情報以降の前記再生動画情報を信号処理させ、表示用に出力させる制御部とを備える。この構成により、目的のシーンを見つけ出すのに要する時間を軽減することができる。
【００１０】
上記構成の画像再生装置において、前記信号処理部は、リサイズ処理をさらに行った画像信号を生成し、前記画像信号をサムネイル画像として複数表示させる状態で出力し、前記操作部は、前記サムネイル画像の中から１つのサムネイル画像を選択することにより、前記記録媒体上の静止画情報を選択するという態様がある。これにより、複数のサムネイル画像の中から、所望の再生画像を選択し、目的のシーンからの動画再生が可能となり、操作性を向上させることができる。
【００１１】
上記構成の画像再生装置において、前記制御部は、前記動画記録時刻の直前の再生開始可能な動画情報以降の前記再生動画情報に代えて、前記動画記録時刻から所定の時間前後の再生開始可能な動画情報以降の前記再生動画情報を表示処理の対象とするという態様がある。これにより、ユーザが期待する瞬間を効率的に見つけ出し、再生することができる。
【００１２】
上記構成の画像再生装置において、前記制御部は、前記動画記録時刻の直前の再生開始可能な動画情報以降の前記再生動画情報に代えて、前記動画記録時刻を含む前記再生動画情報の先頭位置からの前記再生動画情報を表示処理の対象とするという態様がある。これにより、全てのシーンを確認したいというユーザの要望に応じることができる。
【００１３】
上記構成の画像再生装置において、前記信号処理部は、ＭＰＥＧ規格に基づいて前記動画情報を圧縮し、前記制御部は、前記動画記録時刻の直前の再生開始可能な動画情報以降の前記再生動画情報に代えて、前記動画記録時刻の直前のＩフレーム以降の前記再生動画情報を表示処理の対象とするという態様がある。これにより、ＭＰＥＧ規格に準拠して記録再生を行う場合において、目的のシーンを見つけ出すのに要する時間を軽減することができる。
【００１４】
上記構成の画像再生装置において、前記制御部は、前記静止画記録時刻と同時刻の動画記録時刻を含む動画記録時間情報に対応した再生動画情報に代えて、前記選択した静止画情報を表示処理の対象とするという態様がある。これにより、対応する動画記録時間情報あるいは動画情報が存在しないときでも、画面上に静止画を表示することができる。
【００１５】
上記構成の画像再生装置において、前記制御部は、前記静止画記録時刻と同時刻の動画記録時刻を含む動画記録時間情報に対応した再生動画情報に代えて、ユーザに対するメッセージを表示処理の対象とするという態様がある。これにより、対応する動画記録時間情報あるいは動画情報が存在しないことを、ユーザは明確に認識することができる。
【００１６】
上記構成の画像再生装置において、前記制御部は、前記再生動画情報の存在を示す動画選択情報をさらに表示出力させ、前記操作部による前記動画選択情報に対するユーザ操作に基づき、前記再生動画情報を表示出力させるという態様がある。動画選択情報とは、例えばアイコンのようなものである。これにより、同じ時刻を含む動画情報が存在する静止画を容易に認識することができ、期待する動画のシーンを容易に見つけ出すことができる。
【００１７】
上記構成の画像再生装置において、前記制御部は、前記再生動画情報が存在する前記静止画情報のみを前記サムネイル画像として表示出力させるという態様がある。これにより、同じ時刻を含む動画記録が存在しない静止画のサムネイルも併せて表示している場合に比べて、選択するサムネイル画像数を絞ることができるので、期待する動画のシーンをさらに早く見つけ出すことができる。
【００１８】
上記構成の画像再生装置において、前記制御部は、前記選択した静止画情報と前記再生動画情報の存在を示す動画選択情報とを表示し、前記操作部による前記動画選択情報に対するユーザ操作に基づき、前記再生動画情報を表示出力させるという態様がある。これにより、同じ時刻を含む動画情報が存在するか否かを容易に認識することができ、動画の再生を容易に実行することができる。
【００１９】
上記構成の画像再生装置において、前記制御部は、ユーザの前記操作部による動画再生停止の操作、および動画再生の終了によって、前記サムネイル画像を表示出力させるという態様がある。これにより、サムネイル画像からの選択により、素早く続けて別の期待する動画のシーンを探すことができる。
【００２０】
上記構成の画像再生装置において、前記制御部は、ユーザの前記操作部による動画再生停止の操作、および動画再生の終了によって、前記選択した静止画情報を表示出力させるという態様がある。これにより、静止画再生を表示し、素早く続けて別の期待する動画のシーンを探すことができる。
【００２１】
上記構成の画像再生装置において、被写体像から撮像信号を生成する撮像部をさらに備え、前記信号処理部は、前記撮像部による前記撮像信号を処理して、動画情報および前記動画情報の動画記録時刻を含む動画記録時間情報、または静止画情報および前記静止画情報の静止画記録時刻を含む静止画記録時間情報を生成し、前記記録媒体制御部は、前記動画情報および前記動画記録時間情報、または前記静止画情報および前記静止画記録時間情報を前記記録媒体に記録し、前記制御部は、前記動画情報の前記記録媒体への記録中に、前記操作部を用いたユーザ操作により、前記静止画情報の前記記録媒体への記録を行うという態様がある。これは、撮像部付きの画像再生装置であり、その実質はビデオカメラなどの画像記録再生装置である。これにより、同時記録機能を用いて記録した動画情報および静止画情報に対して、静止画から所望のシーンを選択し、目的とするシーンの動画再生を素早く行うことができる。
【発明の効果】
【００２２】
本発明によれば、静止画記録情報から、静止画撮影時刻を含む動画記録時間情報に対応する動画情報を、その静止画を撮影した時刻の近傍から動画再生することで、ユーザの見たい場面を素早く見つけ出せるようになるという有利な効果を得られる。
【発明を実施するための最良の形態】
【００２３】
以下、本発明の実施の形態を図面に基づいて詳細に説明する。
【００２４】
（実施の形態１）
図１は本発明の実施の形態１における撮像部付きの画像再生装置の構成を示すブロック図である。図１において、１は被写体像を撮影したアナログの光映像信号を画像処理し、ディジタル映像信号を生成し画像信号として出力する撮像部、２はＣＰＵ（Central Processing Unit）上で動作し、全体の動作を制御する制御部、３は記録媒体４に読み書き処理を行い、画像情報を転送する記録媒体制御部、４は記録媒体、５は出力画像を表示する画像表示部、６は画像記録時に画像信号に対してエンコード処理を行い、画像再生時に動画情報や静止画情報等をデコード処理する信号処理部、７はユーザの操作により命令信号を制御部２に伝える操作部である。信号処理部６は、画像記録時には、画像信号に対してエンコード処理を行い、撮影記録時間情報やカメラ情報といった管理情報を付加した画像情報を生成し、記録媒体制御部３に渡すとともに、画像再生時には、記録媒体制御部３を介して記録媒体４に記録されている動画情報や静止画情報、記録時間情報、管理情報といった情報を読み出し、デコード処理し、リサイズなど画像表示に必要な画像処理を行った上で、画像表示部５に渡すように構成されている。
【００２５】
図２は、撮像部付きの画像再生装置により記録される画像情報を時系列で示す模式図である。ここで、８は２００５年１月１日の１３時００分２０秒に記録された静止画を示し、９は動画情報全体のうちの１３時００分１９．９８６秒に記録された動画である。
【００２６】
図３は、ＭＰＥＧ規格で画像記録装置により記録される画像情報を時系列で示す模式図である。ここで、１０は１３時００分２０秒に記録された静止画を示し、動画情報の中にはＩ（Intra）フレーム（前後画面情報なしに生成可能な画面）、Ｐ（Predictive）フレーム（前にあるＩフレームからの差分情報で生成可能な画面）、Ｂ（Bidirectionally predictive）フレーム（前にあるＩフレームの差分と後にあるＰフレームからの差分値との平均値で生成可能な画面）があり、動画１１は１３時００分１９．９７０秒に記録されたＩフレームである。
【００２７】
図４は記録媒体４に画像情報が記録される場合のフォルダ構成の一例である。ルートディレクトリ１２の下には動画フォルダ１３、静止画フォルダ１６が配置され、動画フォルダ１３には、動画情報１４と、動画撮影時刻が記録されている動画記録時間情報１５が作られる。静止画フォルダ１６には、静止画情報、静止画記録時間情報が記録されている静止画情報１７が作られる。
【００２８】
図５はサムネイル画像表示画面の一例を示している。１８はサムネイル画像表示画面であり、Ｐに番号が割り振られたＰ１〜Ｐ９は、静止画情報から作られたサムネイル画像である。１９はサムネイル画像Ｐ８が選択されたときの選択枠を示している。
【００２９】
図６はサムネイル画像表示画面にアイコンを表示したサムネイル画像表示画面１８の一例である。
【００３０】
サムネイル画像表示画面１８には９つのサムネイル画像Ｐ１〜Ｐ９が表示されている。このうちサムネイル画像Ｐ８が選択枠１９で選択されたので、サムネイル画像Ｐ８に追加してアイコン２０が表示される。このアイコン２０は、選択枠１９で選択されたサムネイル画像Ｐ８の元となる静止画の再生と、その静止画記録時刻と同じ時刻を含む動画の再生とが選択可能であることを示すものである。“Ｐｉｃｔｕｒｅ”は静止画再生の選択を促すものであり、“Ｍｏｖｉｅ”は動画再生の選択を促すものである。
【００３１】
選択枠１９をサムネイル画像Ｐ８から移動してサムネイル画像Ｐ３を選択したとすると、サムネイル画像Ｐ８でのアイコン２０は消える。代わって、サムネイル画像Ｐ３に追加してアイコン２０が表示される。ただし、サムネイル画像Ｐ３に関連する動画像がないときは、アイコン２０の表示はない。
【００３２】
サムネイル画像表示画面には別の態様もある。
【００３３】
図７はアイコンを表示したサムネイル画像表示画面１８の他の一例である。選択枠１９の位置に関わらず、元となる静止画の再生と、その静止画記録時刻と同じ時刻を含む動画の再生とが選択可能な全てのサムネイル画像について、その選択を可能とするアイコンを表示する。
【００３４】
サムネイル画像Ｐ１とサムネイル画像Ｐ６とサムネイル画像Ｐ８とは、その再生されるべき動画を共通としている場合もあるし、別々の動画である場合もある。この３つのサムネイル画像のいずれにおいても、その“Ｍｏｖｉｅ”を選択すれば、そのサムネイル画像にかかわる動画が再生される。
【００３５】
図８は再生時表示画面の一例を示している。２２は静止画を表示する静止画表示画面、２３は再生している静止画の静止画撮影時刻と同じ時刻を含む動画が存在していることを示すアイコン、２４は動画を表示する動画表示画面である。
【００３６】
サムネイル画像表示画面１８において、選択枠１９で指定されたサムネイル画像Ｐ３のアイコン２０で“Ｐｉｃｔｕｒｅ”を選択すると、サムネイル画像Ｐ３に時刻対応した静止画表示画面２２に移行する。この静止画表示画面２２には“Ｍｏｖｉｅ”の選択を促すアイコン２３が表示される。このアイコン２３を選択すると、静止画に時刻対応した動画表示画面２４に移行する。
【００３７】
また、サムネイル画像表示画面１８において、選択枠１９で指定されたサムネイル画像Ｐ３のアイコン２０で“Ｍｏｖｉｅ”を選択すると、サムネイル画像Ｐ３に時刻対応した動画表示画面２４に移行する。
【００３８】
なお、静止画表示画面２２からサムネイル画像表示画面１８へ戻ることも可能であり、また、動画表示画面２４からサムネイル画像表示画面１８に戻ることも可能である。
【００３９】
図９は同時記録動画を持つ静止画の再生時表示画面の他の一例を示している。Ｄに番号が割り振られたＤ１〜Ｄ９が、静止画撮影時刻と同じ時刻を含む動画が存在している静止画のサムネイル画像である。２５はそのようなサムネイル画像のみを表示したサムネイル画像表示画面である。ここでの特徴は、サムネイル画像Ｄ１〜Ｄ９のすべてが関連する動画をもっているということである。
【００４０】
以上のように構成された撮像部付きの画像再生装置について、以下、画像記録再生動作を説明する。
【００４１】
動画撮影中は、制御部２の制御により、撮像部１から入力された映像信号が信号処理部６によりエンコード処理され、画像情報が生成され、また撮影時刻情報も動画記録時間情報として生成され、記録媒体制御部３を介して記録媒体４に動画情報１４と、動画記録時間情報１５として記録される。
【００４２】
動画撮影中に、操作部７からユーザの静止画記録命令が制御部２に与えられると、制御部２の制御により、撮像部１で撮像された静止画の画像信号が信号処理部６へ転送され、デコード処理によって静止画情報が生成され、また撮影時刻情報を含む静止画記録時間情報が静止画情報に付加され、記録媒体制御部３を介して記録媒体４に静止画情報１７として記録される。
【００４３】
操作部７からユーザによる再生命令が制御部２に与えられると、記録媒体４に記録されている動画情報１４や静止画情報１７が記録媒体制御部３を介して読み出され、信号処理部６のデコード処理で出力画像が生成され、画像表示部５において、図８のいずれかの画面で表示される。静止画表示モードを選択したときは静止画表示画面２２が表示され、動画表示モードを選択したときは動画表示画面２４が表示され、サムネイル表示モードを選択したときはサムネイル画像表示画面１８が表示される。
【００４４】
サムネイル画像の表示の場合の動作について、図１３のフローチャートを参照して説明する。
【００４５】
サムネイル画像の表示の場合は、記録媒体制御部３によって記録媒体４から読み出した静止画情報１７を、信号処理部６によりデコード処理し、画像をリサイズした上で、画像表示部５において図８のサムネイル画像表示画面１８のように配置し表示する（Ｓ１）。操作部７からユーザによる選択枠１９の移動命令が制御部２に与えられると、制御部２の制御により選択枠１９を移動させることで、サムネイル画像を選択することができる。選択されたサムネイル画像について、元となる静止画の静止画情報１７に含まれる静止画記録時間情報のうちの静止画記録時刻を取得し（Ｓ２）、取得した静止画撮影時刻と同じ時刻を含む動画記録時間情報１５を検索する（Ｓ３，Ｓ４）。対応する動画記録時間情報１５が存在する場合には、アイコン２０を表示する（Ｓ５）。このアイコン２０には、静止画再生を促す“Ｐｉｃｔｕｒｅ”と動画再生を促す“Ｍｏｖｉｅ”が示されている。
【００４６】
ユーザ操作によってアイコン２０の動画再生を意味する“Ｍｏｖｉｅ”が選択されると（Ｓ６）、対応する動画情報１４を記録媒体４から読み出し、信号処理部６は動画情報１４をデコード処理し、静止画撮影時刻の近傍から動画再生を始め、図８の動画表示画面２４のように表示する（Ｓ８）。
【００４７】
アイコン２０の中の静止画再生を意味する“Ｐｉｃｔｕｒｅ”が選択された場合（Ｓ６）には、対応する静止画情報１７を記録媒体４から読み出し、信号処理部６は静止画情報１７をデコード処理し、静止画を再生する（Ｓ７）。
【００４８】
動画表示画面２４において、動画再生中にユーザ操作による動画停止命令、もしくは動画情報１４の終端に達したことによって、終了したときには、サムネイル画像表示画面１８に戻る。
【００４９】
図２において、静止画８に対応する静止画記録時間情報の静止画撮影時刻が１３時００分２０秒である場合、この静止画撮影時刻１３時００分２０秒を含む動画記録時間情報のうち１３時００分１９秒の中で最後に記録されている動画９から再生する。すなわち、１３時００分２０秒の直前の動画９からの再生となる。
【００５０】
動画記録においてＭＰＥＧ規格で記録される場合には、図３に示すとおり、１３時００分２０秒に撮影された静止画１０に対して、動画記録情報の１３時００分１９秒の中で最後に記録されているＩ（イントラ）フレーム動画１１から再生する。
【００５１】
画像記録再生装置において、静止画記録時間の撮影時刻に対してその所定時間前から動画再生することも可能である。ユーザによって所定時間５秒と設定され、操作部７から制御部２に伝えられると、静止画８に対応する静止画記録情報の撮影時刻が１３時００分２０秒である場合、この静止画撮影時刻１３時００分２０秒を含む動画記録時間情報のうち５秒前の１３時００分１５秒の中で最後に記録されている動画から再生する。
【００５２】
画像記録再生装置の設定によっては、図２において、静止画８に対応する静止画記録情報の撮影時刻が１３時００分２０秒である場合、この静止画撮影時刻１３時００分２０秒を含む動画記録時間情報に対応する動画のファイルの先頭から再生する。
【００５３】
動画再生は、サムネイル画像表示画面１８から開始する場合と、静止画表示画面２２から開始する場合とがある。
【００５４】
静止画表示画面２２で動画再生を行う場合について、図１３のフローチャートを参照して説明する。表示した静止画の静止画情報１７に含まれる静止画記録時間情報のうちの静止画記録時刻を取得し（Ｓ２）、取得した静止画撮影時刻と同じ時刻を含む動画記録時間情報１５を検索する（Ｓ３，Ｓ４）。対応する動画記録時間情報１５が存在する場合には、アイコン２３を表示する（Ｓ５）。
【００５５】
ステップＳ４からステップＳ３に戻るのは、記録媒体４に格納されているすべての動画像情報を検索するためである。
【００５６】
ユーザ操作によりアイコン２３の“Ｍｏｖｉｅ”が選択された場合には（Ｓ６）、対応する動画情報１４を記録媒体４から読み出し、信号処理部６は動画情報１４をデコード処理し、静止画撮影時刻の近傍から動画再生を始め動画表示画面２４のように表示する（Ｓ８）。動画再生を続けて、ユーザ操作による動画停止命令、もしくは動画情報１４の終端に達したことによって、終了したときには、静止画表示画面２２に戻る。
【００５７】
また別の表示方法として図７のように選択枠１９の位置に関わらず、サムネイル画像の元となる静止画の静止画記録時刻と同じ時刻を含むサムネイル画像すべてにアイコン２１を表示する方法もある。ここでは、３つのサムネイル画像Ｐ１，Ｐ６，Ｐ８についてそれぞれアイコン２１が表示されている。サムネイル画像表示画面１８に表示されている９つのサムネイル画像Ｐ１〜Ｐ９において、関連する動画をもつものがどれどれであるかが一目瞭然である。
【００５８】
このときの動作について、図１４のフローチャートを参照して説明する。サムネイル画像の表示命令（Ｓ１１）に対して、サムネイル画像表示画面１８に配置するサムネイル画像のそれぞれについて（Ｓ１２）、元となる静止画の静止画情報１７に含まれる静止画記録時間情報のうちの静止画記録時刻を取得し（Ｓ１３）、取得した静止画撮影時刻と同じ時刻を含む動画記録時間情報１５を検索する（Ｓ１４、Ｓ１５）。対応する動画記録時間情報１５が存在する場合には、アイコン２１を表示する（Ｓ１６）。
【００５９】
ステップＳ１３やステップＳ１４からステップＳ１２に戻るのは、表示されているサムネイル画像Ｐ１〜Ｐ９のすべてについて関連する動画像があるかを調べるためである。
【００６０】
ユーザ操作によってアイコン２１の動画再生を意味する“Ｍｏｖｉｅ”が選択されると（Ｓ１７）、対応する動画情報１４を記録媒体４から読み出し、信号処理部６は動画情報１４をデコード処理し、静止画撮影時刻の近傍から動画再生を始める（Ｓ１８）。
【００６１】
アイコン２１の中の静止画再生を意味する“Ｐｉｃｔｕｒｅ”が選択された場合（Ｓ１７）には、対応する静止画情報１７を記録媒体４から読み出し、信号処理部６は静止画情報１７をデコード処理し、静止画を再生する（Ｓ１９）。さらに動画再生を意味する“Ｍｏｖｉｅ”を意味するアイコン２３を表示する（Ｓ２０）。
【００６２】
次に、別の表示方法として、図９のように表示した場合の動作について説明する。図９に示すサムネイル画像表示画面２５は、前述のとおり、ユーザの設定により、静止画の静止画撮影時刻を含む動画を持つ静止画に対応するサムネイル画像のみを表示したものである。このときの動作について、図１５のフローチャートを参照して説明する。図１４に比べて、ステップＳ２６とステップＳ２７とステップＳ２８が特徴である。
【００６３】
サムネイル画像の表示命令（Ｓ２１）に対して、記録媒体４上の静止画情報１７に含まれる静止画記録時間情報のうちの静止画記録時刻を順次取得し（Ｓ２３）、取得した静止画撮影時刻と同じ時刻を含む動画記録時間情報１５を検索する（Ｓ２４，Ｓ２５）。対応する動画記録時間情報１５が存在する場合には、その静止画を確保する（Ｓ２６）。対応する動画が存在する静止画が、サムネイル画像表示画面２５に必要な個数分確保できるまで、静止画情報１７の取得を繰り返し（Ｓ２２）、取得が完了した後にサムネイル画像表示画面２５を表示する（Ｓ２７）。
【００６４】
操作部７からユーザによる選択枠１９の移動命令が制御部２に与えられると、制御部２の制御により選択枠１９を移動させることで、サムネイル画像を選択することができる。選択されたサムネイル画像について、アイコン２０を表示する（Ｓ２８）。
【００６５】
ユーザ操作によってアイコン２０の動画再生を意味する“Ｍｏｖｉｅ”が選択されると（Ｓ２９）、対応する動画情報１４を記録媒体４から読み出し、信号処理部６は動画情報１４をデコード処理し、静止画撮影時刻の近傍から動画再生を始め、動画表示画面２４のように表示する（Ｓ３０）。
【００６６】
アイコン２０の中の静止画再生を意味する“Ｐｉｃｔｕｒｅ”が選択された場合（Ｓ２９）には、対応する静止画情報１７を記録媒体４から読み出し、信号処理部６は静止画情報１７をデコード処理し、静止画を再生する（Ｓ３１）。さらに動画再生を意味する“Ｍｏｖｉｅ”を意味するアイコン２３を表示する（Ｓ３２）。
【００６７】
動画表示画面２４において、動画再生中にユーザ操作による動画停止命令、もしくは動画情報１４の終端に達したことによって、終了したときには、サムネイル画像表示画面２５に戻る。
【００６８】
また画像記録再生装置において、静止画情報１７に含まれる静止画記録時間情報の静止画撮影時刻と同じ時刻を含む動画記録時間情報１５が記録媒体４の中に存在しない場合、もしくは動画記録時間情報１５がありその動画記録時間情報に対応する動画情報１４が記録媒体４の中に存在しない場合には、静止画情報１７を記録媒体４から読み出し、信号処理部６は静止画情報１７をデコード処理し、静止画再生を行う。もしくは静止画再生に代わって、ユーザに対して、エラー画面表示や効果音によって動画情報１４が無いことを伝える。
【００６９】
以上のように本実施の形態によれば、動画撮影中に撮影した静止画情報１７にある静止画記録時間情報の撮影時刻と同じ時刻を含む動画記録時間情報１５と、動画記録時間情報１５に対応する動画情報１４を記録媒体制御部３により読み出し、静止画撮影時刻と同じ時刻の近傍の位置から動画情報１４を再生することによって、記録された動画からユーザの期待するシーンを短時間に見つけ出すことができるようになる。同時記録機能で記録された静止画はユーザの意思の上で記録した画像であるため、シーンを想像しやすく、いち早く期待するシーンを見つけ出すことに貢献する。
【００７０】
なお本発明の実施の形態で、静止画記録時間情報の静止画撮影時刻を含む動画記録時間情報と対応する動画情報を読み出し、静止画撮影時刻の１秒前の時刻にある最後の画像から動画を再生する例を挙げたが、本発明はこれに限るものではなく、開始位置が同時刻や後の時刻位置であったり、動画再生しようとする時刻の最後の画像ではなく最初や中盤にある画像であったり、静止画撮影時刻と動画再生時刻の間隔は数ミリ秒や数秒や数分であっても、本発明が有効であることは言うまでもない。
【００７１】
なお本発明の実施の形態において、所定時間をユーザ操作により設定したが、本発明はこれに限るものではなく、システムで所定時間として固定値を持っていてもかまわない。
【００７２】
なお本発明の実施の形態において、静止画の静止画撮影時刻と同じ時刻を含む動画が存在する場合、サムネイル画像や静止画の右下にアイコンを表示する場合の例を挙げたが、これに限るものではなく、文字やその他分かりやすいアイコンを他の位置に表示する場合でも本発明が有効であることは言うまでもない。
【００７３】
なお本発明の実施の形態において静止画記録時間情報に対応する動画記録時間情報もしくは動画情報が記録媒体に無い場合に、ユーザに対して動画情報が無いことを示すエラー画面を表示し、効果音によって伝えたが、これに限るものではなく文字情報や外部ＬＥＤによる警告や音声ガイドなどによって伝えてもよい。
【００７４】
なお本発明の実施の形態においては、記録媒体に動画フォルダと静止画フォルダがあり、フォルダ以下にそれぞれ動画ファイルと静止画ファイルが構成されるような構成を例に挙げたが、フォルダやファイルの構成に依存するものではなく、同一フォルダに動画ファイルや静止画ファイルが混同したり、動画フォルダや静止画フォルダが多数存在したり、またＳＤ−ＶＩＤＥＯ規格、ＤＶＤ−ＶＩＤＥＯ規格、ＪＰＥＧ規格などの規格で規定されているフォルダ構成やファイル構成であってもよい。
【００７５】
なお本発明の実施の形態においては、撮像部を付属する画像記録再生装置を例に挙げたが、ＤＶＤレコーダーやＨＤＤレコーダー、ＰＣアプリケーションなどの画像記録装置であってもよい。
【００７６】
なお本発明の実施の形態においては、撮像部付きの画像再生装置を例に挙げたが、ＤＶＤプレーヤーやＨＤＤプレーヤーなど記録媒体に記録された動画、静止画を再生する画像再生装置であってもよい。
【００７７】
なお本発明の実施の形態においては、静止画撮影時刻の近傍から再生画像の圧縮方法は、例えば静止画ではＪＰＥＧフォーマット、ＧＩＦ（Graphics Interchange Format）などのその他画像圧縮フォーマットや、ＴＩＦＦ（Tag Image File Format）などの画像非圧縮フォーマット、動画に関してはＭＰＥＧ、Ｈ．２６４などであってもよい。
【００７８】
なお本発明の実施の形態においては、ファイルの構成として静止画では静止画記録時間情報を静止画情報にまとめて、動画では動画記録時間情報と動画情報を分けて説明をしたが、記録時間と画像情報を持つものがあればどのようなファイル構成であってもよい。
【００７９】
なお本発明の実施の形態においては、記録媒体には動画情報と動画記録時間情報が１組と、静止画記録時間情報を含む静止画情報が２つの例を挙げたが、本発明はこれに限るものではなく、動画情報と動画記録時間情報と静止画情報と静止画記録時間情報のファイル数に関わらず、本発明は有効である。
【００８０】
なお本発明の実施の形態においては、サムネイル画像表示画面においてサムネイル画像枚数は表示画面１画面あたり９枚の例を上げたがこれに限るものではなく、サムネイル画像の枚数に関わらず本発明が有効である。
【００８１】
なお本発明の実施の形態において、外部メモリとはＳＤメモリカード、ＤＶＤ、ハードディスクなどのいかなる記録媒体であってもよい。
【００８２】
また本発明の実施の形態において、画像表示部５は、液晶ディスプレイ、プラズマディスプレイ、ＣＲＴなどのいかなる表示媒体であってもよい。
【００８３】
（実施の形態２）
図１０は、２つの画像記録装置で同時刻に記録した画像を１台の画像再生装置で再生する場合における説明図である。２６，２７は動画や静止画を記録するカメラであり、２８はカメラで記録された画像を１つの記録媒体に保存し直すＰＣ（パーソナルコンピュータ）であり、２９は記録媒体に記録されている画像を再生する画像再生装置である。
【００８４】
実施の形態２で説明する画像再生装置２９は、実施の形態１の改良にかかわるものであり、その全体の構成を図１１に示す。図１１において、実施の形態１の図１におけるのと同じ符号は同一構成要素を指しているので、詳しい説明は省略する。記録媒体制御部３０は記録媒体４から読み出し処理を行い、画像情報を転送する。信号処理部３１は渡された画像情報のデコード処理や、必要であればリサイズ処理や画像処理を行い、画像表示部５により情報が表示される。
【００８５】
図１２は別々に記録された静止画フォルダと動画のフォルダを、１つのフォルダにまとめたフォルダ構成図の一例である。カメラ２６で動画を記録した場合、記録媒体上には、ルートディレクトリ３２の下に動画フォルダ３３、その下に動画情報３４と撮影時刻を含む動画記録時間情報３５が配置されるフォルダ構成になる。またカメラ２７で静止画を記録した場合、記録媒体上には、ルートディレクトリ３６の下に静止画フォルダ３７、その下に静止画情報３８が配置されるフォルダ構成になる。ここで静止画撮影時刻を含む静止画記録時間情報は静止画情報３８に含まれる。
【００８６】
この動画と静止画のフォルダを１つにまとめると、図１２のルートディレクトリ３９以下に動画フォルダ３２と静止画フォルダ３７が配置され、それぞれのフォルダ以下は、１つにまとめる前と同じであるため説明を省略する。
【００８７】
以上のように構成された画像再生装置について、以下その動作を説明する。
【００８８】
図１０のカメラ２６を用いて動画記録を行い、動画記録時間情報３５と動画情報３４を記録媒体に記録する。記録媒体上にはルートディレクトリ３２以下の構成となる。またカメラ２６の動画記録中にカメラ２７を用いて静止画記録を行い、静止画情報と静止画撮影時間を含む静止画記録時間情報を静止画情報３８に含めて記録媒体に記録する。記録媒体上にはルートディレクトリ３６以下の構成となる。記録された動画記録時間情報３５と動画情報３４と静止画記録時間情報と静止画情報３８をＰＣ２８でそれぞれ読み出し、１つの記録媒体にまとめる。記録媒体上にはルートディレクトリ３９以下に動画フォルダ３３と静止画フォルダ３７が作成され、動画フォルダ３３と静止画フォルダ３７以下のファイル構成は、それぞれ１つにまとめる前の構成と同じである。そして動画と静止画が記録された記録媒体４から制御部２の制御により、記録媒体制御部３０は記録媒体４から静止画記録時間情報３８を読み出し、また静止画記録時間情報３８のうちの静止画撮影時刻と同じ時刻を含む動画記録時間情報３５と、動画記録時間情報３５に対応する動画情報３４を記録媒体から読み出し、信号処理部３１は動画情報３４をデコード処理し、静止画撮影時刻の近傍から動画再生する。
【００８９】
このときの動作について、図１３を参照して説明する。サムネイル画像の表示の場合は、記録媒体制御部３０によって記録媒体４から読み出した静止画情報３８を、信号処理部３１によりデコード処理し、画像をリサイズした上で、画像表示部５においてサムネイル画像表示画面１８のように配置し表示する（Ｓ１）。操作部７からユーザによる選択枠１９の移動命令が制御部２に与えられると、制御部２の制御により選択枠１９を移動させることで、サムネイル画像を選択することができる。選択されたサムネイル画像について、元となる静止画の静止画情報３８に含まれる静止画記録時間情報のうちの静止画記録時刻を取得し（Ｓ２）、取得した静止画撮影時刻と同じ時刻を含む動画記録時間情報３５を検索する（Ｓ３、Ｓ４）。対応する動画記録時間情報３５が存在する場合には、アイコン２０を表示する（Ｓ５）。
【００９０】
ユーザ操作によってアイコン２０の動画再生を意味する“Ｍｏｖｉｅ”が選択されると（Ｓ６）、対応する動画情報３４を記録媒体４から読み出し、信号処理部３１は動画情報３４をデコード処理し、静止画撮影時刻の近傍から動画再生を始め動画表示画面２４のように表示する（Ｓ８）。
【００９１】
アイコン２０の中の静止画再生を意味する“Ｐｉｃｔｕｒｅ”が選択された場合（Ｓ６）には、対応する静止画情報３８を記録媒体４から読み出し、信号処理部３１は静止画情報３８をデコード処理し、静止画を再生する（Ｓ７）。動画表示画面２４において、動画再生中にユーザ操作による動画停止命令、もしくは動画情報３４の終端に達したことによって、終了したときには、サムネイル画像表示画面１８に戻る。
【００９２】
記録媒体４へまとめられた静止画記録時間情報を含む静止画情報３８と、動画情報３４と、動画記録時間情報３５について、図２を用いて具体的に説明する。ここで静止画情報３８に対応するのが静止画８であり、動画情報３４は、動画９を含む動画に対応している。静止画８に対応する静止画記録情報の撮影時刻が１３時００分２０秒である場合、この静止画撮影時刻１３時００分２０秒を含む動画記録時間情報のうち１３時００分１９秒の中で最後に記録されている動画９から再生する。
【００９３】
画像再生装置において、静止画記録時間の撮影時刻から所定時間前から動画再生することも可能であり、ユーザによって所定時間５秒と設定されて操作部７から制御部２に伝えられると、静止画８に対応する静止画記録情報の撮影時刻が１３時００分２０秒である場合、この静止画撮影時刻１３時００分２０秒を含む動画記録時間情報のうち１３時００分１５秒の中で最後に記録されている動画９から再生する。
【００９４】
動画記録においてＭＰＥＧ規格で記録される場合には、図３に示すとおり１３時００分２０秒に撮影された静止画１０に対して、動画記録情報の１３時００分１９秒の中で最後に記録されているＩフレーム動画情報１１から再生する。
【００９５】
画像記録再生装置の設定によっては、図２において、静止画８に対応する静止画記録情報の撮影時刻が１３時００分２０秒である場合、この静止画撮影時刻１３時００分２０秒を含む動画記録時間情報に対応する動画９のファイルの先頭から再生する。
【００９６】
静止画表示画面２２で動画再生を行う場合について、図１３を参照して説明する。表示した静止画の静止画情報３８に含まれる静止画記録時間情報のうちの静止画記録時刻を取得し（Ｓ２）、取得した静止画撮影時刻と同じ時刻を含む動画記録時間情報３５を検索する（Ｓ３、Ｓ４）。対応する動画記録時間情報３５が存在する場合には、アイコン２３を表示する（Ｓ５）。ユーザ操作によりアイコン２３の“Ｍｏｖｉｅ”が選択された場合には（Ｓ６）、対応する動画情報３４を記録媒体４から読み出し、信号処理部３１は動画情報３４をデコード処理し、静止画撮影時刻の近傍から動画再生を始め動画表示画面２４のように表示する（Ｓ８）。動画再生を続けて、ユーザ操作による動画停止命令、もしくは動画情報３４の終端に達したことによって、終了したときには、静止画表示画面２２に戻る。
【００９７】
また別の表示方法として図７のように選択枠の位置に関わらず、サムネイル画像の元となる静止画の静止画記録時刻と同じ時刻を含むサムネイル画像すべてにアイコン２１を表示する方法もある。
【００９８】
このときの動作について、図１４を参照して説明する。サムネイル画像の表示命令（Ｓ１１）に対して、サムネイル画像表示画面１８に配置するサムネイル画像のそれぞれについて（Ｓ１２）、元となる静止画の静止画情報３８に含まれる静止画記録時間情報のうちの静止画記録時刻を取得し（Ｓ１３）、取得した静止画撮影時刻と同じ時刻を含む動画記録時間情報３５を検索する（Ｓ１４、Ｓ１５）。対応する動画記録時間情報３５が存在する場合には、アイコン２１を表示する（Ｓ１６）。
【００９９】
ユーザ操作によってアイコン２１の動画再生を意味する“Ｍｏｖｉｅ”が選択されると（Ｓ１７）、対応する動画情報３４を記録媒体４から読み出し、信号処理部３１は動画情報３４をデコード処理し、静止画撮影時刻の近傍から動画再生を始める（Ｓ１８）。
【０１００】
アイコン２１の中の静止画再生を意味する“Ｐｉｃｔｕｒｅ”が選択された場合（Ｓ１７）には、対応する静止画情報３８を記録媒体４から読み出し、信号処理部３１は静止画情報３８をデコード処理し、静止画を再生する（Ｓ１９）。さらに動画再生を意味する“Ｍｏｖｉｅ”を意味するアイコン２３を表示する（Ｓ２０）。
【０１０１】
また別の表示方法として、サムネイル画像表示画面において、ユーザの設定により、静止画の静止画撮影時刻を含む動画を持つ静止画に対応するサムネイル画像のみをサムネイル画像表示画面２５のように表示する方法もある。
【０１０２】
このときの動作について、図１５を参照して説明する。サムネイル画像の表示命令（Ｓ２１）に対して、記録媒体４上の静止画情報３８に含まれる静止画記録時間情報のうちの静止画記録時刻を順次取得し（Ｓ２３）、取得した静止画撮影時刻と同じ時刻を含む動画記録時間情報３５を検索する（Ｓ２４、Ｓ２５）。対応する動画記録時間情報３５が存在する場合には、その静止画を確保する（Ｓ２６）。対応する動画が存在する静止画が、サムネイル画像表示画面２５に必要な個数分確保できるまで、静止画情報３８の取得を繰り返し（Ｓ２２）、取得が完了した後にサムネイル画像表示画面２５を表示する（Ｓ２７）。
【０１０３】
操作部７からユーザによる選択枠１９の移動命令が制御部２に与えられると、制御部２の制御により選択枠１９を移動させることで、サムネイル画像を選択することができる。選択されたサムネイル画像について、アイコン２０を表示する（Ｓ２８）。
【０１０４】
ユーザ操作によってアイコン２０の動画再生を意味する“Ｍｏｖｉｅ”が選択されると（Ｓ２９）、対応する動画情報３４を記録媒体４から読み出し、信号処理部３１は動画情報３４をデコード処理し、静止画撮影時刻の近傍から動画再生を始め動画表示画面２４のように表示する（Ｓ３０）。
【０１０５】
アイコン２０の中の静止画再生を意味する“Ｐｉｃｔｕｒｅ”が選択された場合（Ｓ２９）には、対応する静止画情報３８を記録媒体４から読み出し、信号処理部３１は静止画情報３８をデコード処理し、静止画を再生する（Ｓ３１）。さらに動画再生を意味する“Ｍｏｖｉｅ”を意味するアイコン２３を表示する（Ｓ３２）。
【０１０６】
動画表示画面２４において、動画再生中にユーザ操作による動画停止命令、もしくは動画情報３４の終端に達したことによって、終了したときには、サムネイル画像表示画面２５に戻る。
【０１０７】
また画像再生装置２９において、静止画情報３８に含まれる静止画記録時間情報の静止画撮影時刻と同じ時刻を含む動画記録時間情報３５が記録媒体４の中に存在しない場合、もしくは動画記録時間情報３５がありその動画記録時間情報３５に対応する動画情報３４が記録媒体４の中に存在しない場合には、静止画情報３８を記録媒体４から読み出し、信号処理部３１は静止画情報３８をデコード処理し、静止画再生を行う。もしくは静止画再生にかわって、ユーザに対して、エラー画面表示や効果音によって動画情報３４が無いことを伝える。
【０１０８】
以上のように本実施の形態によれば、別々のカメラで記録された動画情報と動画記録時間情報と静止画記録時間情報において、静止画記録情報から、静止画撮影時刻の近傍から動画を再生することで、ユーザの見たい場面を素早く見つけ出せるようになるという有利な効果を得られる。
【０１０９】
なお本発明の実施の形態で、静止画記録時間情報の静止画撮影時刻を含む動画記録時間情報と対応する動画情報を読み出し、静止画撮影時刻の１秒前の時刻にある最後の画像から動画を再生する例を挙げたが、本発明はこれに限るものではなく、静止画撮影時刻の近傍であって、開始位置が同時刻や後の時刻位置であったり、動画再生しようとする時刻の最後の画像ではなく最初や中盤にある画像であったり、静止画撮影時刻と動画再生時刻の間隔は数ミリ秒や数秒や数分であってもよい。
【０１１０】
なお本発明の実施の形態において、所定時間をユーザ操作により設定したが、本発明はこれに限るものではなく、システムで所定時間として固定値を持っていてもかまわない。
【０１１１】
なお本発明の実施の形態において、静止画記録時間情報に対応する動画記録時間情報または動画情報が記録媒体にない場合に、ユーザに対して動画情報がないことを示すエラー画面を表示し、効果音によって伝えたが、本発明はこれに限るものではなく、文字情報や外部ＬＥＤによる警告や音声ガイドなどによって伝えてもかまわない。
【０１１２】
なお本発明の実施の形態においては、２個のカメラで記録した動画、静止画について説明したが、動画と静止画の記録が同時刻の近傍に可能であれば１個以上のカメラすべてに対して本発明が有効であることは言うまでもない。
【０１１３】
なお本発明の実施の形態においては、２個のカメラで記録した動画情報と静止画情報をＰＣでそれぞれ読み出し、１つの記録媒体にまとめたが、画像記録再生装置または画像記録装置上で１つの記録媒体にまとめてもかまわない。
【０１１４】
なお本発明の実施の形態においては、静止画撮影時刻の近傍から再生画像の圧縮方式は、例えば静止画ではＪＰＥＧフォーマット、ＧＩＦなどのその他画像圧縮フォーマットや、ＴＩＦＦなどの画像非圧縮フォーマット、動画に関してはＭＰＥＧ、Ｈ．２６４などであってもよい。
【０１１５】
なお本発明の実施の形態においては、ファイルの構成として静止画では静止画記録時間情報を静止画情報にまとめて、動画では動画記録時間情報と動画情報を分けて説明をしたが、記録時間と画像情報を持つものがあればどのようなファイル構成であってもよい。
【０１１６】
なお本発明の実施の形態においては、記録媒体に動画フォルダと静止画フォルダがあり、フォルダ以下にそれぞれ動画ファイルと静止画ファイルが構成されるような構成を例に挙げたが、フォルダやファイルの構成に依存するものではなく、同一フォルダに動画ファイルや静止画ファイルが混在したり、動画フォルダや静止画フォルダが多数存在したり、またＳＤ−ＶＩＤＥＯ規格、ＤＶＤ−ＶＩＤＥＯ規格、ＪＰＥＧ規格などの規格で規定されているフォルダ構成やファイル構成であってもよい。
【０１１７】
なお本発明の実施の形態においては、記録媒体には動画情報と動画記録時間情報が１組と、静止画記録時間情報を含む静止画情報が２つの例を挙げたが、本発明はこれに限るものではなく、動画情報と動画記録時間情報と静止画情報と静止画記録時間情報のファイル数にかかわらず、本発明は有効である。
【０１１８】
なお本発明の実施の形態においては、サムネイル画像表示画面においてサムネイル画像枚数は表示画面１画面あたり９枚の例を挙げたが、本発明はこれに限るものではなく、サムネイル画像の枚数にかかわらず、本発明は有効である。
【０１１９】
なお本発明の実施の形態において、外部メモリとはＳＤメモリカード、ＤＶＤ、ハードディスクなどのいかなる記録媒体であってもよい。
【０１２０】
なお本発明の実施の形態において、画像表示部５は、液晶ディスプレイ、プラズマディスプレイ、ＣＲＴなどのいかなる表示媒体であってもよい。
【産業上の利用可能性】
【０１２１】
本発明にかかる画像再生装置は、静止画から同時刻以降の動画を再生することによって、ユーザの見たい場面を素早く見つけ出せる効果があり、ビデオカメラなど、記録した映像データの再生機能を有する各種の機器の動画再生表示の用途に有用である。
【図面の簡単な説明】
【０１２２】
【図１】本発明の一実施の形態における撮像部付きの画像再生装置の構成を示すブロック図
【図２】本発明の一実施の形態における画像記録再生装置で記録される画像情報を時系列で示す模式図
【図３】本発明の一実施の形態における画像記録再生装置でＭＰＥＧ規格で記録される画像情報を時系列で示す模式図
【図４】本発明の一実施の形態における画像記録再生装置で画像情報が記録されるフォルダ構成図
【図５】本発明の一実施の形態における画像記録再生装置でのサムネイル画像表示画面を示す図
【図６】本発明の一実施の形態における画像記録再生装置でのアイコンを表示したサムネイル画像表示画面を示す図
【図７】本発明の一実施の形態における画像記録再生装置でのアイコンを表示した他のサムネイル画像表示画面を示す図
【図８】本発明の一実施の形態における画像記録再生装置での再生時表示画面の説明図
【図９】本発明の一実施の形態における画像記録再生装置での他の再生時表示画面の説明図
【図１０】本発明の他の実施の形態における画像再生装置での２つの画像記録装置で同時刻に記録した画像を１台の画像再生装置で再生する場合の説明図
【図１１】本発明の他の実施の形態における画像再生装置の構成を示すブロック図
【図１２】本発明の他の実施の形態における画像再生装置で画像情報を１つにまとめるときのフォルダ構成図
【図１３】本発明の一実施の形態における再生時のフローチャート
【図１４】本発明の一実施の形態における他のアイコン表示を行う再生時のフローチャート
【図１５】本発明の一実施の形態における他のサムネイル画像表示画面を表示する再生時のフローチャート
【符号の説明】
【０１２３】
１  撮像部
２  制御部（ＣＰＵ）
３  記録制御部
４  記録媒体
５  画像表示部
６  信号処理部
７  操作部
１４  動画情報
１５  動画記録時間情報
１７  静止画情報
１８，２５  サムネイル画像表示画面
１９  選択枠
２０，２１，２３  アイコン（動画選択情報）
２２  静止画表示画面
２４  動画表示画面
２６，２７  カメラ
２８  ＰＣ
２９  画像再生装置
３０  記録媒体制御部
３１  信号処理部
【図１】
2007181164.tif 000003
【図２】
2007181164.tif 000004
【図３】
2007181164.tif 000005
【図４】
2007181164.tif 000006
【図５】
2007181164.tif 000007
【図６】
2007181164.tif 000008
【図７】
2007181164.tif 000009
【図８】
2007181164.tif 000010
【図９】
2007181164.tif 000011
【図１０】
2007181164.tif 000012
【図１１】
2007181164.tif 000013
【図１２】
2007181164.tif 000014
【図１３】
2007181164.tif 000015
【図１４】
2007181164.tif 000016
【図１５】
2007181164.tif 000017